(57)【要約】【課題】ユーザーの数に応じた保管トレイを備えることなく複数のユーザーからの親展印刷に対応する。【解決手段】親展印刷なされた用紙ｐを仮置きトレイ４０上で磁性を有するクリップ１００で留めてから内部トレイ５０に保管済みの他の用紙ｐに重ねて保管すると共にクリップ位置と自身よりも下位に保管されている用紙の累積枚数である下位枚数を記憶し、ユーザ認証を伴って排紙が指示されたとき、排紙対象のクリップ位置と下位枚数とに基づいて引出開始位置と終了位置を設定し、引出開始位置に電磁石７１を移動させて排紙対象のクリップ１００に当接させ、電磁石７１をオンしながら終了位置まで移動させて用紙ｐを引き出してから電磁石７１をオフして排紙トレイ５５に用紙ｐを排紙するから、保管用の内部トレイ５０を一つ設けるだけで複数のユーザーからの排紙指示に対応することができる。【選択図】図２
2010155698.tif 000002
【特許請求の範囲】
【請求項１】
通信が可能に接続されたユーザー端末から印刷ジョブを受け付けて印刷を実行する印刷装置であって、
給紙された用紙に印刷を実行する印刷手段と、
装置内部に印刷済みの用紙を保管済みの用紙に重ねて保管する保管手段と、
前記保管手段に保管される印刷済みの用紙の一辺の所定の位置に強磁性材料または磁石で形成されたクリップを留めるクリップ手段と、
磁力により前記クリップを吸引可能な吸引手段と、前記保管手段内の所定の範囲と該所定の範囲から排紙の方向を可動範囲として前記吸引手段を移動させる移動手段とを有する排紙手段と、
データを記憶する記憶手段と、
前記印刷ジョブが受け付けられたとき、該受け付けられた印刷ジョブに基づいて印刷が実行されるよう前記印刷手段を制御すると共に該印刷ジョブ毎に印刷済みの用紙が前記クリップで留められるよう前記クリップ手段を制御し、前記受け付けられた印刷ジョブで指定された印刷枚数と保管済みの用紙の枚数に関する保管位置情報を該印刷ジョブの識別情報と関連付けて保管情報として前記記憶手段に記憶する印刷制御手段と、
前記印刷ジョブの識別情報を用いた認証を伴って印刷済みの用紙の排紙が指示されたとき、該識別情報に基づいて前記記憶されている保管情報から排紙対象の用紙の保管位置情報を取得し、該取得した保管位置情報に基づいて前記吸引手段を該排紙対象の用紙を留めるクリップに当接する位置に移動させると共に該クリップの吸引を伴って該排紙対象の用紙が前記保管手段から引き出されて排紙されるよう前記排紙手段を制御し、前記排紙が指示された印刷ジョブの識別情報に対応する保管情報を削除すると共に他の印刷ジョブの識別情報に対応する保管情報のうち保管位置情報を更新する排紙制御手段と
を備える印刷装置。
【請求項２】
請求項１記載の印刷装置であって、
前記クリップ手段は、前記一辺における複数箇所をクリップ可能な手段であり、
前記印刷制御手段は、前記複数箇所のうち前記受け付けられた印刷ジョブ毎に異なる箇所に前記クリップを留めるよう前記クリップ手段を制御し、該クリップが留められた位置をクリップ位置情報として該印刷ジョブの識別情報と関連付けて前記保管情報に含めて前記記憶手段に記憶する手段であり、
前記排紙制御手段は、前記記憶されている保管情報から前記排紙対象の用紙の保管位置情報と前記クリップ位置情報とを取得し、該取得した保管位置情報とクリップ位置情報とに基づいて前記吸引手段を該排紙対象の用紙を留めるクリップに当接する位置に移動させるよう前記排紙手段を制御する手段である
印刷装置。
【請求項３】
前記印刷制御手段は、前記受け付けられた印刷ジョブ毎に前記一辺の一端側から他端側に向かって所定量ずつ異なる箇所に前記クリップを留めるよう前記クリップ手段を制御する手段である請求項２記載の印刷装置。
【請求項４】
前記印刷制御手段は、前記保管手段内で前記クリップがジグザグに並ぶよう前記クリップ手段を制御する手段である請求項２記載の印刷装置。
【請求項５】
前記吸引手段は、電磁石である請求項１ないし４いずれか１項に記載の印刷装置。
【請求項６】
前記排紙制御手段は、前記クリップを吸引するときに前記電磁石への通電を開始し前記排紙対象の用紙を引き出した後に該通電を停止するよう前記排紙手段を制御する手段である請求項５記載の印刷装置。
【発明の詳細な説明】
【技術分野】
【０００１】
本発明は、印刷装置に関する。
【背景技術】
【０００２】
従来、この種の印刷装置としては、複数のユーザー端末に接続され、印刷物を保管してロックできる三つの保管トレイを備えるものが提案されている（特許文献１参照）。この装置では、ユーザー端末から親展印刷指示を伴った印刷指示を受け付けたときには、印刷した印刷物を保管トレイにロックを掛けて保管しておきユーザー認証ができたときに保管トレイのロックを解除して印刷物を取り出し可能とすることにより、認証されたユーザー以外に印刷物が取得されるのを防止できるとしている。
【特許文献１】特開２００４−３３８２９５号公報
【発明の開示】
【発明が解決しようとする課題】
【０００３】
しかしながら、上述した印刷装置では、保管トレイのロックが解除されると、ロックが解除された保管トレイに保管されている印刷物をすべて取り出すことができるため、一つの保管トレイ内に複数のユーザーの印刷物を同時に保管することができない。このため、四人以上のユーザーからの親展印刷指示に対応するときには、保管トレイに空きが出るまで印刷待ちが生じることがある。一方で、四人以上の複数のユーザーからの親展印刷指示にスムーズに対応するためには、ユーザーの数に応じた保管トレイを備える必要があり、ユーザーの数によっては印刷装置が大型化してしまう。
【０００４】
本発明の印刷装置は、ユーザーの数に応じた保管トレイを備えることなく複数のユーザーからの親展印刷に対応することを主目的とする。
【課題を解決するための手段】
【０００５】
本発明の印刷装置は、上述の主目的を達成するために以下の手段を採った。
【０００６】
本発明の印刷装置は、
通信が可能に接続されたユーザー端末から印刷ジョブを受け付けて印刷を実行する印刷装置であって、
給紙された用紙に印刷を実行する印刷手段と、
装置内部に印刷済みの用紙を保管済みの用紙に重ねて保管する保管手段と、
前記保管手段に保管される印刷済みの用紙の一辺の所定の位置に強磁性材料または磁石で形成されたクリップを留めるクリップ手段と、
磁力により前記クリップを吸引可能な吸引手段と、前記保管手段内の所定の範囲と該所定の範囲から排紙の方向を可動範囲として前記吸引手段を移動させる移動手段とを有する排紙手段と、
データを記憶する記憶手段と、
前記印刷ジョブが受け付けられたとき、該受け付けられた印刷ジョブに基づいて印刷が実行されるよう前記印刷手段を制御すると共に該印刷ジョブ毎に印刷済みの用紙が前記クリップで留められるよう前記クリップ手段を制御し、前記受け付けられた印刷ジョブで指定された印刷枚数と保管済みの用紙の枚数に関する保管位置情報を該印刷ジョブの識別情報と関連付けて保管情報として前記記憶手段に記憶する印刷制御手段と、
前記印刷ジョブの識別情報を用いた認証を伴って印刷済みの用紙の排紙が指示されたとき、該識別情報に基づいて前記記憶されている保管情報から排紙対象の用紙の保管位置情報を取得し、該取得した保管位置情報に基づいて前記吸引手段を該排紙対象の用紙を留めるクリップに当接する位置に移動させると共に該クリップの吸引を伴って該排紙対象の用紙が前記保管手段から引き出されて排紙されるよう前記排紙手段を制御し、前記排紙が指示された印刷ジョブの識別情報に対応する保管情報を削除すると共に他の印刷ジョブの識別情報に対応する保管情報のうち保管位置情報を更新する排紙制御手段と
を備えることを要旨とする。
【０００７】
この本発明の印刷装置では、印刷ジョブが受け付けられたとき、受け付けられた印刷ジョブに基づいて印刷が実行されるよう印刷手段を制御すると共に印刷ジョブ毎に印刷済みの用紙が強磁性材料または磁石で形成されたクリップで留められるようクリップ手段を制御し、受け付けられた印刷ジョブで指定された印刷枚数と保管済みの用紙の枚数に関する保管位置情報を印刷ジョブの識別情報と関連付けて保管情報として記憶手段に記憶し、印刷ジョブの識別情報を用いた認証を伴って印刷済みの用紙の排紙が指示されたとき、識別情報に基づいて記憶されている保管情報から排紙対象の用紙の保管位置情報を取得し、取得した保管位置情報に基づいて吸引手段を排紙対象の用紙を留めるクリップに当接する位置に移動させると共にクリップの吸引を伴って排紙対象の用紙が保管手段から引き出されて排紙されるよう排紙手段を制御し、排紙が指示された印刷ジョブの識別情報に対応する保管情報を削除すると共に排紙対象の用紙よりも上位に保管されている用紙の保管位置情報を更新する。これにより、印刷装置内に保管手段を一つ設けるだけで複数のユーザーからの排紙指示に対応することができる。この結果、ユーザーの数に応じた数の保管手段を用意することなく複数のユーザーからの親展印刷に対応することができる。
【０００８】
こうした本発明の印刷装置において、前記クリップ手段は、前記一辺における複数箇所をクリップ可能な手段であり、前記印刷制御手段は、前記複数箇所のうち前記受け付けられた印刷ジョブ毎に異なる箇所に前記クリップを留めるよう前記クリップ手段を制御し、該クリップが留められた位置をクリップ位置情報として該印刷ジョブの識別情報と関連付けて前記保管情報に含めて前記記憶手段に記憶する手段であり、前記排紙制御手段は、前記記憶されている保管情報から前記排紙対象の用紙の保管位置情報と前記クリップ位置情報とを取得し、該取得した保管位置情報とクリップ位置情報とに基づいて前記吸引手段を該排紙対象の用紙を留めるクリップに当接する位置に移動させるよう前記排紙手段を制御する手段であるものとすることもできる。こうすれば、排紙手段の誤動作により排紙対象の用紙以外の用紙が排紙されるのを防止することができる。この態様の本発明の印刷装置において、前記印刷制御手段は、前記受け付けられた印刷ジョブ毎に前記一辺の一端側から他端側に向かって所定量ずつ異なる箇所に前記クリップを留めるよう前記クリップ手段を制御する手段であるものとすることもできるし、前記印刷制御手段は、前記保管手段内で前記クリップがジグザグに並ぶよう前記クリップ手段を制御する手段であるものとすることもできる。
【０００９】
また、本発明の印刷装置において、前記吸引手段は、電磁石であるものとすることもできる。こうすれば、簡易な構成でクリップを吸引することができる。この態様の本発明の印刷装置において、前記排紙制御手段は、前記クリップを吸引するときに前記電磁石への通電を開始し前記排紙対象の用紙を引き出した後に該通電を停止するよう前記排紙手段を制御する手段であるものとすることもできる。これにより、排紙用のトレイを排紙手段の下方に配置するものとすれば、排紙対象の用紙は引き出された後に排紙用のトレイに落下するから容易に排紙することができる。
【発明を実施するための最良の形態】
【００１０】
次に、本発明を実施するための最良の形態を図面を用いて説明する。図１は本発明の印刷装置の一実施形態であるプリンター１０の構成の概略を示すブロック図であり、図２はプリンター１０の内部の部分的な構成の概略を示す構成図であり、図３はプリンター１０のクリップ機構６０の構成の外観を示す外観斜視図であり、図４はプリンター１０の排紙機構７０の構成の概略を示す構成図である。なお、図４（ａ）は排紙機構７０の側面図を示し、図４（ｂ）は排紙機構７０の正面図を示す。
【００１１】
本実施形態のプリンター１０は、図１ないし図４に示すように、装置全体の制御を司るコントローラー２０と、ネットワーク９０に接続された複数のコンピューター９２Ａ〜９２Ｅとデータの入出力を司るネットワークボード２６と、プリンター機能を実現するプリンター機構３１やこのプリンター機構３１を制御するプリンターＡＳＩＣ３２を含んで構成されるプリンター部３０と、プリンター部３０で印刷された印刷済みの用紙ｐ（以下、単に用紙ｐという）を一時的に載置すると共にトレイ傾斜機構４５により傾斜されて載置した用紙ｐをプリンター１０の背面側に送る仮置きトレイ４０と、仮置きトレイ４０に載置された用紙ｐをクリップ１００で留めるクリップ機構６０と、仮置きトレイ４０よりもプリンター１０の背面側の下方に外部からアクセスできないよう配置され用紙ｐを保管する内部トレイ５０と、内部トレイ５０よりもプリンター１０の正面側の下方にユーザーによって引き出し可能に構成された親展用排紙トレイ５５と、内部トレイ５０に保管された用紙ｐを引出口５０ａから引き出して親展用排紙トレイ５５に排紙する排紙機構７０と、ユーザーによる指示の入力や各種情報の表示を行なう操作パネル８０と、を備える。なお、図２中の左右方向をＸ軸方向，前後方向をＹ軸方向，上下方向をＺ軸方向とする。
【００１２】
コントローラー２０は、ＣＰＵ２１を中心とするマイクロプロセッサとして構成されており、各種処理プログラムなどを記憶したＲＯＭ２２と、一時的にデータを記憶するＲＡＭ２３と、電気的に書き換え可能で電源を切ってもデータは保持されるフラッシュメモリー２４と、印刷ジョブを保存するジョブメモリー２５と、を備える。このコントローラー２０は、バス２９を介してプリンターＡＳＩＣ３２やトレイ傾斜機構４５，クリップ機構６０，排紙機構７０，操作パネル８０と電気的に接続され、プリンターＡＳＩＣ３２やトレイ傾斜機構４５，クリップ機構６０，排紙機構７０からの各種動作信号や操作パネル８０のボタン類８４の操作に応じて発生する操作信号を入力したり、プリンターＡＳＩＣ３２への印刷指令信号やトレイ傾斜機構４５，クリップ機構６０，排紙機構７０への動作指令信号、操作パネル８０の表示部８２への表示指令信号を出力したりする。
【００１３】
プリンター部３０は、プリンター機構３１とプリンターＡＳＩＣ３２とを備えている。このプリンター機構３１は、単一感光体方式と中間転写方式とを採用したフルカラーの電子写真方式のレーザプリンター機構として構成され、シアン（Ｃ），マゼンタ（Ｍ），イエロ（Ｙ），ブラック（Ｋ）の４色に色分解された各色ごとの画像の静電潜像が図示しない帯電・露光器によりその上に形成される感光体３３と、装着された各色のトナーカートリッジ３４Ｃ，３４Ｍ，３４Ｙ，３４Ｋから供給される各色のトナーを用いて感光体３３上に形成された静電潜像をトナー像として現像する現像器３４と、現像したトナー像を重ね合わせるよう一次転写する中間転写体としての転写ベルト３５と、図示しない搬送ユニットにより搬送された用紙に転写ベルト３５上に形成された４色のトナー像を二次転写する二次転写ユニット３６と、用紙上に転写された４色のトナー像を用紙に溶融し定着させる定着ユニット３７と、用紙ｐをプリンター１０の外部に形成された図示しない排紙トレイに排紙する経路３８ａと仮置きトレイ４０を介して内部トレイ５０に搬送する経路３８ｂとを切り替える経路切替部３８と、経路３８ａ上に配置された複数の搬送ローラー３９と、を備える。プリンターＡＳＩＣ３２は、プリンター機構３１を制御する機能を備えたＩＣチップであり、ジョブメモリー２５内の印刷ジョブを１ページごとにビットマップイメージに展開した展開データが用紙に印刷されるようにプリンター機構３１を制御する。
【００１４】
仮置きトレイ４０は、プリンター部３０側から搬送されてきた用紙ｐを受け入れるよう後方が後壁なしで開口しており、用紙ｐが載置される底板４１と、用紙ｐをガイドする側壁４２と、送られた用紙ｐが当接して前方の所定位置で揃えられると共に用紙ｐの幅よりも狭い幅で開口するよう側壁４２から張り出した前壁４３とにより形成される。底板４１は、用紙ｐの前方側が下方に露出するよう前壁４３の開口の幅と同じ幅で部分的に切り抜かれた形状に形成されている。仮置きトレイ４０には、底板４１の回転軸４１ａを中心として傾斜させるトレイ傾斜機構４５が設けられている。このトレイ傾斜機構４５は、底板４１の下面に当接する偏心カム４６と、偏心軸４６ａを中心として偏心カム４６を回転させる図示しないモーターとを備え、モーターの駆動により偏心カム４６を回転させて仮置きトレイ４０を押し上げて後方に向けて傾斜させる（図２中点線で図示）。前述したように、仮置きトレイ４０は後壁がなく後方が開口しているため、傾斜されることによって用紙ｐを仮置きトレイ４０の後方側の下方に配置される内部トレイ５０に送ることができる。なお、送られた用紙ｐは、内部トレイ５０に保管済みの用紙ｐに重ねて保管される。
【００１５】
クリップ機構６０は、仮置きトレイ４０に対向するよう配置され、ベース６１にＹ軸方向に所定間隔をもって配置された３つのクリップ機構６０Ａ，６０Ｂ，６０Ｃにより構成される。ベース６１は、図示しないスライド機構によりＹ軸方向にスライド可能に構成されており、そのスライド量は、各クリップ機構６０Ａ，６０Ｂ，６０Ｃの所定間隔の略半分の量が設定されている。このため、図３に示すように、ベース６１がＹ軸方向の奥側に位置するときには各クリップ機構６０Ａ，６０Ｂ，６０Ｃによりそれぞれクリップ位置（１），（３），（５）でのクリップが可能となり、ベース６１が手前側に位置するときには各クリップ機構６０Ａ，６０Ｂ，６０Ｃによりそれぞれクリップ位置（２），（４），（６）でのクリップが可能となる。なお、各クリップ機構６０Ａ，６０Ｂ，６０Ｃは、同一の機構であり以下の説明では特に区別することなくクリップ機構６０として説明する。クリップ機構６０は、クリップ１００を押し出す押出アーム６２と、押出アーム６２をガイドするガイド部６３と、ガイド部６３と一体的に形成され内部に取り付けられた鉛直棒６４ａにストックしたクリップ１００をガイド部６３内に供給可能な供給部６４と、通電に伴ってロッド６６を吸引する電磁部６５と、ロッド６６の電磁部６５から露出した端面にロッド６６と同軸上に配置されたスプリング６７と、押出アーム６２の端部にＹ軸方向に突出するよう形成されたピン６２ａが移動可能に挿入される長孔６８ａとロッド６６の端部にＹ軸方向に突出するよう形成されたピン６６ａが移動可能に挿入される長孔６８ｂとが形成された２枚のプレートが偏心軸６８ｃにより組み合わされロッド６６のストローク量に対して押出アーム６２のストローク量が大きくなるよう変換する変換機構６８と、を備える。ここで、本実施例で用いるクリップ１００について説明する。クリップ１００は、強磁性と弾性とを有する材料で形成され一つの頂点が開口する断面略三角形状のクリップであり、用紙ｐを一枚から挟むことができるよう形成されている。このクリップ１００の外観斜視図を図５に示す。図示するように、用紙ｐを挟持する挟持部１０２と、挟持部１０２と同じ幅に形成された幅広部１０４ａと幅広部１０４ａよりも一段小さな幅に形成された幅狭部１０４ｂとからなる傾斜部１０４と、傾斜部１０４の幅狭部１０４ｂと同じ幅を有し挟持部１０２に作用する力に対して弾力による反発力を付与する背面部１０６とにより形成される。傾斜部１０４には、供給部６４にストックされると共にストックされた状態で自重によりガイド部６３内に落下できるよう鉛直棒６４ａの外径よりもわずかに大きな内径の貫通孔１０４ｃが形成されている。ここで、ガイド部６３は、仮置きトレイ４０側の端部に両側面の内壁から中央に向かって突出すると共に仮置きトレイ４０に向かってＶ字状に拡がるＶ字ガイド６３ａが形成されている。このＶ字ガイド６３ａは、クリップ１００の傾斜部１０４の幅広部１０４ａは掛かるものの幅狭部１０４ｂは掛からないようその突出の幅が設定されている。クリップ機構６０により用紙ｐの短辺をクリップする動作について、図６に基づいて説明する。初期状態（図２参照）から電磁部６５に通電すると、ロッド６６が吸引され変換機構６８によりロッド６６のストローク量よりも大きなストローク量をもって押出アーム６２が移動しクリップ１００を押し出す（図６（ａ）〜（ｃ））。このとき、クリップ１００は、傾斜部１０４の幅広部１０４ａがガイド部６３内にあるときにＶ字ガイド６３ａによって拡げられ、幅広部１０４ａがガイド部６３外に達するとＶ字ガイド６３ａのガイドから解放されて挟持部１０２で用紙ｐを挟む。電磁部６５への通電が停止されるとスプリング６７の付勢力によりロッド６６が初期位置に戻されると共に押出アーム６２も初期位置に戻され、供給部６４にストックされるクリップ１００が自重によりガイド部６３内に落下して次のクリップ動作の準備が完了する（図６（ｄ））。
【００１６】
排紙機構７０は、内部トレイ５０の引出口５０ａに対向すると共に親展用排紙トレイ５５の略真上に配置され、内部トレイ５０側に向けられた電磁石７１と、電磁石７１をＸＹＺ方向に移動させるＸ軸用移動機構７４とＹ軸用移動機構７６とＺ軸用移動機構７８とからなる移動機構７２と、を備える。Ｘ軸用移動機構７４は、Ｘ軸サーボモーター７４ａを駆動源としてＸ軸ボールねじ７４ｂを回転させる周知のボールねじ機構として構成され、Ｙ軸用移動機構７６およびＺ軸用移動機構７８も同様にボールねじ機構として構成される。Ｘ軸用移動機構７４は、Ｙ軸用移動機構７６が搭載されたＸ軸サドル７４ｃをＸ軸方向に電磁石７１が内部トレイ５０の引出口５０ａに到達する位置（所定位置Ｘ０とする）から用紙ｐの長辺よりも若干長い距離だけ離れた位置（所定位置Ｘ１とする）までの移動範囲をもって構成されている。Ｙ軸用移動機構７６は、Ｚ軸用移動機構７８が搭載されたＹ軸サドル７６ｃをＹ軸方向に内部トレイ５０の右端付近から左端付近までの移動範囲をもって構成されている。なお、Ｙ軸用移動機構７６は、一端がＸ軸サドル７４ｃに搭載され他端がスライドレール７５上をスライドできるよう構成されている。Ｚ軸用移動機構７８は、電磁石７１が搭載されたＺ軸サドル７８ｃをＺ軸方向に内部トレイ５０の上端付近から下端付近までの移動範囲をもって構成されている。
【００１７】
操作パネル８０は、表示部８２とボタン類８４とを備える。表示部８２は、液晶ディスプレイであり、選択可能なメニューを表示するメニュー画面や各種選択設定を行なう操作画面などが表示される。ボタン類８４は、ユーザーからの指示を入力可能なテンキーやカーソルキー，ＯＫボタンなどの各種の入力ボタンを備えている。
【００１８】
次に、こうして構成された本実施形態のプリンター１０の動作、特に、印刷時の動作や内部トレイ５０に保管された用紙ｐの排紙時の動作について説明する。まず、印刷時の動作について説明する。図７は、コントローラー２０により実行される印刷処理ルーチンの一例を示すフローチャートである。このルーチンは、ネットワーク９０に接続されたコンピューター９２Ａ〜９２Ｅから印刷ジョブを受信したときに実行される。
【００１９】
印刷処理ルーチンが実行されると、コントローラー２０のＣＰＵ２１は、まず、印刷ジョブを入力し（ステップＳ１００）、プリンターＡＳＩＣ３２に印刷ジョブに基づいて印刷処理を実行する印刷指令を送信すると共に（ステップＳ１１０）、入力した印刷ジョブに親展印刷指示が含まれるか否かを判定する（ステップＳ１２０）。親展印刷指示は、ユーザー認証されない限り用紙ｐを取得できないよう指示するものであり、ユーザーＩＤやユーザーが予め設定したパスワードなども含まれる。親展印刷指示がないときには、用紙ｐを排紙トレイに直接排紙する経路３８ａに切り替える切替指示をプリンターＡＳＩＣ３２に送信して（ステップＳ１３０）、本ルーチンを終了する。
【００２０】
一方、ステップＳ１２０で親展印刷指示があると判定したときには、プリンターＡＳＩＣ３２に用紙ｐを内部トレイ５０側に搬送する経路３８ｂに切り替える切替指示を送信し（ステップＳ１４０）、印刷が完了するのを待つ（ステップＳ１５０）。いま、内部トレイ５０側に搬送経路を切り替えているから、用紙ｐは仮置きトレイ４０に載置される。印刷が完了すると、クリップ指示位置Ｋｓを入力し（ステップＳ１６０）、入力したクリップ指示位置Ｋｓで仮置きトレイ４０に載置された用紙ｐにクリップする（ステップＳ１７０）。クリップ指示位置Ｋｓは、クリップ位置（１）〜（６）のうちいずれの位置で用紙ｐにクリップをするかを指示するものであり、前回実行された本ルーチンにおいて後述するステップＳ２４０〜Ｓ２７０の処理で設定され、初期値は値１に設定されている。クリップ指示位置Ｋｓの値が奇数のときにはベース６１を図３中のＹ軸方向奥側にスライドさせると共に例えば値１であればクリップ機構６０Ａによりクリップするようクリップ機構６０に動作指令信号を出力し、クリップ指示位置Ｋｓが偶数のときにはベース６１を図３中のＹ軸方向手前側にスライドさせると共に例えば値４であればクリップ機構６０Ｂによりクリップするよう動作指令信号を出力する。用紙ｐにクリップすると、用紙ｐを内部トレイ５０に保管する（ステップＳ１８０）。具体的には、仮置きトレイ４０が傾いて内部トレイ５０側に用紙ｐが送られるようトレイ傾斜機構４５に動作指令信号を出力する。
【００２１】
こうして用紙ｐを内部トレイ５０に保管すると、印刷ジョブや親展印刷指示からユーザーＩＤやパスワード、印刷枚数ｎなどの情報を入力し（ステップＳ１９０）、クリップ指示位置Ｋｓをクリップ位置ｋとして保管リストに登録すると共に入力した情報を保管リストに登録する（ステップＳ２００）。続いて、保管リストに既に登録されている他の対象があるか否かを判定し（ステップＳ２１０）、他の対象があればそれらの枚数ｎを累積した値を下位枚数ｓとして登録し（ステップＳ２２０）、他の対象がなければ下位枚数ｓに値０を登録する（ステップＳ２３０）。ここで、用紙ｐは内部トレイ５０に保管済みの用紙ｐに重ねて保管されるため、既に保管されている用紙ｐの枚数ｎを累積した値は、新たに保管された用紙ｐに対して自身よりも下位に保管される用紙ｐの総枚数となる。各情報を保管リストに登録すると、今回用いたクリップ指示位置Ｋｓが値６であるか否かを判定し（ステップＳ２４０）、値６のときにはクリップ指示位置Ｋｓに値１を設定し（ステップＳ２５０）、値６でないときにはクリップ指示位置Ｋｓに値１を加えた値を新たなクリップ指示位置Ｋｓに設定し（ステップＳ２６０）、設定したクリップ指示位置Ｋｓを次回用のクリップ指示位置Ｋｓとしてフラッシュメモリー２４に登録して本ルーチンを終了する（ステップＳ２７０）。ここで、内部トレイ５０に保管されている用紙ｐの様子を図８に示す。図８では、５つの印刷ジョブに基づいて印刷された用紙ｐが重ねて保管されており、図示するように、クリップ位置ｋが（１）から（５）まで順に図中右方向にずれた位置となっている。また、この場合の保管リストの一例を図９に示す。図示するように、本実施例ではフラッシュメモリー２４に記憶するものとし、ユーザーＩＤやパスワード，クリップ位置ｋ，下位枚数ｓなどの各情報が印刷ジョブ毎に付された管理番号と共に登録される。
【００２２】
次に、内部トレイ５０に保管された用紙ｐの排紙処理について説明する。図１０は、コントローラー２０により実行される親展印刷排紙処理ルーチンの一例を示すフローチャートであり、図１１は、排紙処理時の排紙機構７０の動作を示す説明図である。このルーチンは、ユーザーによるボタン類８４の操作により、表示部８２に表示されたメニューから親展印刷排紙処理が選択されたときに実行される。親展印刷排紙処理ルーチンが実行されると、コントローラー２０のＣＰＵ２１は、まず、ユーザーにユーザーＩＤとパスワードの入力を促す図示しない認証画面を表示部８２に表示し（ステップＳ４００）、ユーザー認証を行なう（ステップＳ４１０）。ユーザー認証は、ユーザーにより入力されたユーザーＩＤおよびパスワードと保管リストに登録されたユーザーＩＤおよびパスワードとが一致するか否かを判定することにより行なわれる。認証できないときには、図示しないエラー画面を表示して（ステップＳ４２０）、再びステップＳ４００に戻る。なお、入力エラーが複数回繰り返されたときには、本ルーチンを終了する。
【００２３】
一方、ステップＳ４１０で認証できたときには、ユーザーＩＤおよびパスワードが一致した管理番号を排紙対象に選定すると共に（ステップＳ４３０）、排紙対象のクリップ位置ｋと下位枚数ｓ，枚数ｎを入力し（ステップＳ４４０）、排紙対象の用紙ｐを引き出すための引出開始位置Ｐｓ（Ｘｓ，Ｙｓ，Ｚｓ）と引出終了位置Ｐｅ（Ｘｅ，Ｙｅ，Ｚｅ）とを設定する（ステップＳ４５０）。引出開始位置Ｐｓは、座標Ｘｓに前述した所定位置Ｘ０を設定し、座標Ｙｓに予めクリップ位置毎に登録されたＹ軸方向の座標のうち入力したクリップ位置ｋに対応する座標を設定し、座標Ｚｓに入力した下位枚数ｓに基づいて定められる座標を設定する。ここで、下位枚数ｓは、自身よりも下位に保管されている用紙ｐの総枚数でありその値によって内部トレイ５０内での排紙対象の用紙ｐのＺ方向の位置が決まるので、排紙対象の用紙ｐを留めるクリップ１００のＺ方向の位置座標を設定することができる。引出終了位置Ｐｅは、座標Ｘｅに前述した所定位置Ｘ１を設定し、座標Ｙｅに座標Ｙｓをそのまま設定し、座標Ｚｅに座標Ｚｓをそのまま設定する。こうして各位置座標を設定すると、引出開始位置Ｐｓに電磁石７１ａが移動するよう排紙機構７０に駆動指令を送信する（ステップＳ４６０，図１１（ａ））。具体的には、Ｙ軸方向およびＺ軸方向に移動した後にＸ軸方向に移動するよう駆動指令を送信する。引出開始位置Ｐｓに電磁石７１が移動されると、電磁石７１をオンして（ステップＳ４７０）、引出終了位置Ｐｅまで電磁石７１が移動するよう排紙機構７０に駆動指令を送信する（ステップＳ４８０，図１１（ｂ），（ｃ））。具体的には、Ｘ軸方向に所定位置Ｘ１まで移動するよう駆動指令を送信する。引出終了位置Ｐｅに電磁石７１が移動されると、電磁石７１をオフして（ステップＳ４９０，図１１（ｄ））、用紙ｐを落下させて親展用排紙トレイ５５に排紙対象の用紙ｐを排紙する。これにより、ユーザーが排紙対象の用紙ｐを取得することができる。こうして排紙対象の用紙ｐを排紙すると、保管リストから排紙対象のデータを削除して（ステップＳ５００）、他の保管対象があるか否かを判定する（ステップＳ５１０）。他の保管対象がなければ、クリップ指示位置Ｋｓを値１にリセットして（ステップＳ５２０）、本ルーチンを終了する。他の保管対象があれば、下位枚数ｓが排紙対象より大きな対象があるか否かを判定し（ステップＳ５３０）、対象があるときには、そのうち最も管理番号の大きなものを更新対象に選定し（ステップＳ５４０）、更新対象の下位枚数ｓから排紙対象の枚数ｎを減じた値を新たな下位枚数ｓとして更新する（ステップＳ５５０）。こうして対象がなくなるまで下位枚数ｓの更新処理を行なってから、本ルーチンを終了する。
【００２４】
ここで、本実施形態の構成要素と本発明の構成要素との対応関係を明らかにする。プリンター機構３１が「印刷手段」に相当し、内部トレイ５０が「保管手段」に相当し、クリップ機構６０が「クリップ手段」に相当し、排紙機構７０が「排紙手段」に相当し、フラッシュメモリー２４が「記憶手段」に相当し、図７の印刷処理ルーチンのステップＳ１００〜１２０，Ｓ１４０〜２７０の処理を実行するコントローラー２０や印刷指令を受けて印刷を実行するプリンターＡＳＩＣ３２が「印刷制御手段」に相当し、図１０の親展印刷排紙処理ルーチンを実行するコントローラー２０が「排紙制御手段」に相当する。
【００２５】
以上説明した本実施形態のプリンター１０によれば、親展印刷がなされた用紙ｐをクリップ機構６０による磁性を有するクリップで留めてから内部に配置された内部トレイ５０に保管しておき、用紙ｐの排紙が指示されたときに排紙対象の用紙を留めるクリップ１００に電磁石７１を当接させて電磁石７１の吸引により排紙対象の用紙ｐを引き出して排紙するから、ユーザーの数に応じた数の保管トレイを用意することなく複数のユーザーからの親展印刷に対応することができる。
【００２６】
なお、本発明は上述した実施形態に何ら限定されることはなく、本発明の技術的範囲に属する限り種々の態様で実施し得ることはいうまでもない。
【００２７】
上述した実施形態では、クリップ位置（１）〜（６）の順に用紙ｐにクリップ１００を留めるものとしたが、これに限られず、ランダムの位置やジグザグの位置に留めるものとしてもよい。クリップ１００をジグザグの位置に留めた場合の様子を図１２に示す。図１２（ａ）に示すようにクリップ位置（１），（６），（２），（５），（３），（４）の順に留めてクリップ１００の水平方向の間隔が下方から上方に向かうにつれて狭くなるものとしてもよいし、これとは反対に図１２（ｂ）に示すようにクリップ位置（３），（４），（２），（５），（１），（６）の順に留めるものとしてもよいし、図示は省略するがクリップ位置（１），（４），（２），（５），（３），（６）の順にクリップ１００を等間隔に留めるものとしてもよい。また、クリップ機構６０が３つのクリップ機構６０Ａ〜Ｃからなりクリップ位置を６箇所としたが、３つ以上のクリップ機構を設け６箇所以上のクリップ位置を有するものとしてもよい。さらに、１つのクリップ機構をＹ方向の複数の位置をスライドできるよう構成し、複数箇所クリップするものとしてもよい。
【００２８】
上述した実施形態では、強磁性材料で形成したクリップ１００を電磁石７１で吸引するものとしたが、磁石で形成したクリップ１００を磁性材料で形成された吸引部材を用いて吸引するものとしてもよい。この場合、ユーザが吸引部材からクリップを取り外すものとすればよい。
【００２９】
上述した実施形態では、下位枚数ｓの値に基づいて引出開始位置Ｐｓの座標Ｚｓを設定するものとしたが、クリップ１００の大きさによっては座標Ｚｓに影響を与えるものとなるため自身よりも下位に保管されている用紙ｐを留めるクリップの数をも考慮して座標Ｚｓを設定するものとしてもよい。
【００３０】
上述した実施形態では、クリップ機構６０で用紙ｐをクリップ１００で留めてから内部トレイ５０に保管するものとしたが、内部トレイ５０に保管してからクリップ１００で留めるものとしてもよい。この場合、内部トレイに４５に保管されるときにクリップされる短辺が下位に保管される用紙ｐよりもクリップ機構側にずれた状態で重ねられるものなどとすればよい。
【００３１】
上述した実施形態では、パスワードによりユーザー認証を行なうものとしたが、パスワードに代えて指紋などの生体情報を用いてユーザー認証を行なうものとしてもよい。この場合、例えば、プリンター１０に指紋の読み取りや指紋の一致を判定可能な指紋読取装置を備えると共に予め各ユーザーの指紋をユーザーＩＤと関連付けてフラッシュメモリー２４などに登録しておき、指紋読取装置で読み取った指紋が登録されている指紋と一致すると判定されたときにユーザー認証できたものとすればよい。
【００３２】
本実施形態では、本発明の印刷装置を印刷機能のみを備えるレーザープリンターに具体化した例を示したが、スキャナー機能などを備えたプリンターとしてもよいし、インクジェットプリンターなどに本発明を適用してもよい。
【図面の簡単な説明】
【００３３】
【図１】プリンター１０の構成の概略を示すブロック図。
【図２】プリンター１０の内部の部分的な構成の概略を示す構成図。
【図３】クリップ機構６０の構成の外観を示す外観斜視図。
【図４】排紙機構７０の構成の概略を示す構成図。
【図５】クリップ１００の外観を示す外観斜視図。
【図６】クリップ機構６０により用紙ｐの短辺をクリップする動作の説明図。
【図７】印刷処理ルーチンの一例を示すフローチャート。
【図８】内部トレイ５０に保管されている用紙ｐの様子を示す説明図。
【図９】保管リストの一例を示す説明図。
【図１０】親展印刷排紙処理ルーチンの一例を示すフローチャート。
【図１１】排紙処理時の排紙機構７０の動作を示す説明図。
【図１２】クリップ１００をジグザグの位置に留めた場合の様子を示す説明図。
【符号の説明】
【００３４】
１０  プリンター、２０  コントローラー、２１  ＣＰＵ、２２  ＲＯＭ、２３  ＲＡＭ、２４  フラッシュメモリー、２５  ジョブメモリー、２６  ネットワークボード、２９  バス、３０  プリンター部、３１  プリンター機構、３２  プリンターＡＳＩＣ、３３  感光体、３４  現像器、３４Ｃ，３４Ｍ，３４Ｙ，３４Ｋ  トナーカートリッジ、３５  転写ベルト、３６  二次転写ユニット、３７  定着ユニット、３８  経路切替部、３９  搬送ローラー、４０  仮置きトレイ、４１  底板、４１ａ  回転軸、４２  側壁、４３  前壁、４５  トレイ傾斜機構、４６  偏心カム、４６ａ  偏心軸、５０  内部トレイ、５０ａ  引出口、５５  親展用排紙トレイ、６０，６０Ａ，６０Ｂ，６０Ｃ  クリップ機構、６１  ベース、６２  押出アーム、６２ａ，６６ａ  ピン、６３  ガイド部、６３ａ  Ｖ字状ガイド、６４  供給部、６４ａ  鉛直棒、６５  電磁部、６６  ロッド、６７  スプリング、６８  変換機構、６８ａ，６８ｂ  長孔、６８ｃ  偏心軸、７０  排紙機構、７１  電磁石、７２  移動機構、７４  Ｘ軸用移動機構、７４ａ  Ｘ軸サーボモーター、７４ｂ  Ｘ軸ボールねじ、７４ｃ  Ｘ軸サドル、７５  スライドレール、７６  Ｙ軸用移動機構、７６ａ  Ｙ軸サーボモーター、７６ｂ  Ｙ軸ボールねじ、７６ｃ  Ｙ軸サドル、７８  Ｚ軸用移動機構、７８ａ  Ｚ軸サーボモーター、７８ｂ  Ｚ軸ボールねじ、７８ｃ  Ｚ軸サドル、８０  操作パネル、８２  表示部、８４  ボタン類、９０  ネットワーク、９２Ａ〜９２Ｅ  コンピューター、１００  クリップ、１０２  挟持部、１０４  傾斜部、１０４ａ  幅広部、１０４ｂ  幅狭部、１０４ｃ  貫通孔、１０６  背面部。
【図１】
2010155698.tif 000003
【図２】
2010155698.tif 000004
【図３】
2010155698.tif 000005
【図４】
2010155698.tif 000006
【図５】
2010155698.tif 000007
【図６】
2010155698.tif 000008
【図７】
2010155698.tif 000009
【図８】
2010155698.tif 000010
【図９】
2010155698.tif 000011
【図１０】
2010155698.tif 000012
【図１１】
2010155698.tif 000013
【図１２】
2010155698.tif 000014